(57)【要約】      （修正有）【課題】ネックレスとしての基本的な宝玉類の連やチェーンから構成し、ネックレスとしての商品価値を備えたものものであるとともに、ネックレスとイヤホンとが有機的に結合されているため、ネックレスとしての装飾性が大幅に改善されたネックレス兼イヤホンを提供する。【解決手段】宝玉類の連および／またはチェーンからなるネックレス素材をイヤホンコードで連結するとともに、前記イヤホンコードの適所に音響装置へのコネクタコードを連結し、またネックレス素材の両端に連結金具１５をそれぞれ取り付け、かつ連結金具１５の前面にイヤホン１７を取り付けて、前記連結金具を連結した状態においてはネックレスとして使用することができ、また連結金具１５の連結を解除した状態においてはイヤホンとして使用することができるようにしたことを特徴とするネックレス兼イヤホンである。【選択図】図３
0003155288.tif 000002
【実用新案登録請求の範囲】
【請求項１】
宝玉類の連および／またはチェーンからなるネックレス素材をイヤホンコードで連結するとともに、前記イヤホンコードの適所に音響装置へのコネクタコードを連結し、またネックレス素材の両端に連結金具をそれぞれ取り付け、かつ連結金具の前面にイヤホンを取り付けて、前記連結金具を連結した状態においてはネックレスとして使用することができ、また連結金具の連結を解除した状態においてはイヤホンとして使用することができるようにしたことを特徴とするネックレス兼イヤホン。
【請求項２】
前記連結金具が、その接合端部に内蔵した磁石、フック状金具、引き輪等から選ばれることを特徴とする請求項１に記載のネックレス兼イヤホン。
【請求項３】
前記ネックレス素材としてのチェーンが、そのリング本体の対向面に一対の貫通孔が設けられ、前記リング本体の該貫通孔にイヤホンコードを挿通してチェーンをイヤホンコードで連結したことを特徴とする請求項１に記載のネックレス兼イヤホン。
【請求項４】
前記イヤホンが、連結金具に一体的に取り付けられていることを特徴とする請求項１に記載のネックレス兼イヤホン。
【請求項５】
前記ネックレス素材が、チェーンを前記一対の連結金具の側に、そして前記宝玉類の連をチェーンの間に連結したことを特徴とする請求項１に記載のネックレス兼イヤホン。
【考案の詳細な説明】
【技術分野】
【０００１】
この考案は、ネックレス兼イヤホンに関し、特にネックレスとしての装飾性を高めたイヤホン付きのネックレスに関する。
【背景技術】
【０００２】
従来のネックレス兼イヤホンとしては、特開２００７−１８３９２０号公報（特許文献１参照）のような、一側に音響装置の接続端子に結合されるジャックコネクターを有し、首に掛けられる形態からなるコネクターケーブル、及び前記コネクターケーブルに連結され、ＵＳＢプラグ及びＩ／Ｏプラグを収容するコネクター本体部を含み、前記ＵＳＢプラグ及びＩ／Ｏプラグを分離可能としたマルチメディア用携帯機器のコネクターが知られている。
【０００３】
また、特開２００４−１８０２５２号公報（特許文献２参照）のような、イヤホンコードの構成体である電線コードの外周に設けられ、電線コードの外周に装着されたとき単体または複数体で花柄、星柄、球状柄、矩形柄、柱状柄、ハート柄および螺旋状柄等の装飾模様を形成するイヤホンコード用装飾具、および電線コードの外周に単体または複数体で花柄、星柄、球状柄、矩形柄、柱状柄、ハート柄および螺旋状柄等の装飾模様を形成する装飾具が装着されているイヤホンコードも知られている。
【０００４】
さらに、実用新案登録第３０７０９１６号公報（特許文献３参照）のような、テープレコーダー、デジタル記録媒体による音楽再生プレイヤー、ラジオ、電話機、無線機器等の携帯型電気製品７で利用されるイヤホンにおいて、イヤホンコード２をネックレス型イヤホン支持体１に内蔵し、ネックレス型イヤホン支持体１により携帯型電気製品７をペンダントの如く係留したネックレス型イヤホンも提案されている。
【先行技術文献】
【特許文献】
【０００５】
【特許文献１】特開２００７−１８３９２０号公報
【特許文献２】特開２００４−１８０２５２号公報
【特許文献３】実用新案登録第３０７０９１６号公報
【考案の概要】
【考案が解決しようとする課題】
【０００６】
いずれにしても、前記各先行技術においては、ネックレスとイヤホンとが単に結合されているだけであり、ネックレスからイヤホンが飛び出すような形態で連結されているため、ネックレスとして使用する場合に、その装飾性が大幅に損なわれてしまうという問題点があった。
そして、単にイヤホンコードを装飾しただけで、ネックレスとしての機能を有してはいない。またネックレス方と言ってはいるが、俗にいう「ネックストラップ型」であり、装飾品としてのネックレスのようなものではない。
【０００７】
また、ネックレスとしての基本的な宝玉類の連やチェーンによる構成からかけ離れた素材の構成となっており、いわゆるネックレスとしての商品価値を備えた製品を提供するという意味からはかけ離れたものであった。
【０００８】
この考案の目的は、前述したようにネックレスとしての基本的な宝玉類の連やチェーンから構成された素材構成となっており、いわゆるネックレスとしての商品価値を備えたものものであるとともに、ネックレスとイヤホンとが有機的に結合されているためネックレスとしての装飾性が大幅に改善され、しかもイヤホンとして使用しないときでもネックレスとして使用することにより、イヤホンの収納、取り出しの煩わしさから開放されるネックレス兼イヤホンを提供することにある。
【課題を解決するための手段】
【０００９】
すなわちこの考案のネックレス兼イヤホンは、宝玉類の連および／またはチェーンからなるネックレス素材をイヤホンコードで連結するとともに、前記イヤホンコードの適所に音響装置へのコネクタコードを連結し、またネックレス素材の両端に連結金具をそれぞれ取り付け、かつ連結金具の前面にイヤホンを取り付けて、前記連結金具を連結した状態においてはネックレスとして使用することができ、また連結金具の連結を解除した状態においてはイヤホンとして使用することができるようにしたことを特徴とするものである。
【００１０】
この考案のネックレス兼イヤホンは、前記連結金具が、その接合端部に磁石を内蔵されており、磁力の吸着力で連結するようにしたことをも特徴とするものである。
【００１１】
この考案のネックレス兼イヤホンは、前記ネックレス素材としてのチェーンに、そのリング本体の対向面に一対の貫通孔が設けられ、前記リング本体の該貫通孔にイヤホンコードを挿通してチェーンをイヤホンコードで連結したことを特徴とする請求項１に記載のネックレス兼イヤホン。
【００１２】
この考案のネックレス兼イヤホンは、前記イヤホンが、連結金具に一体的に取り付けられていることをも特徴とするものである。
【００１３】
この考案のネックレス兼イヤホンは、前記ネックレス素材が、チェーンを前記一対の連結金具の側に、そして前記宝玉類の連をチェーンの間に連結したことをも特徴とするものである。
【考案の効果】
【００１４】
上記に詳細に説明したように、この考案に係るネックレス兼イヤホンによると、ネックレスとしての基本的な宝玉類の連やチェーンから構成された素材構成となっており、いわゆるネックレスとしての商品価値を備えたものものであるとともに、ネックレスとイヤホンとが有機的に結合されているため、ネックレスとしての装飾性が大幅に改善されたネックレス兼イヤホンができるという効果が得られる。
【００１５】
またこの考案によれば、イヤホンとして使用しないときでもネックレスとして使用することにより、イヤホンの収納、取り出しの煩わしさから開放されるネックレス兼イヤホンが提供できる。
【図面の簡単な説明】
【００１６】
【図１】この考案のネックレス兼イヤホンの実施の形態を示す正面図である。
【図２】連結金具の拡大正面図である。
【図３】その断面図である。
【図４】この考案のチェーン部分の貫通孔の状態を示す断面図である。
【考案を実施するための形態】
【００１７】
以下、この考案に係るネックレス兼イヤホンの実施の形態を、図１ないし図４に基いて詳細に説明する。
図１に示されたように、この考案の一つの実施形態によるネックレス兼イヤホン２１は、宝玉類の連１１および（または）チェーン１２からなるネックレス素材１０をイヤホンコード１３で連結するとともに、前記イヤホンコード１３の適所に音響装置へのコネクタコード１４を連結している。
前記ネックレス素材１０を構成する宝玉類の連１１としては、真珠やサンゴ、天然石（種々の形状に加工されたものを含む）、模造石、合成石、類似石、貴金属、プラスチック、その他の素材からなる宝玉が挙げられる。またチェーン１２も、金や銀、プラチナ等の貴金属や各種の金属、プラスチックその他の材料で作製したものであることができる。
また、図２および図３に示すように、前記ネックレス素材１０の両端には連結金具１５がそれぞれ取り付けてあり、該連結金具１５はその接合端部に磁石１６を内蔵されていて、磁石１６の磁力で連結するようになっている。
もちろん、前記連結金具１５としては、磁石１６に代えてフック状金具、引き輪等の他の連結金具から選ぶことも可能である。
【００１８】
なお、前記ネックレス素材１０は図１および図４に示すように、チェーン１２を前記一対の連結金具１５の側に、そして前記宝玉類の連１１を各チェーン１２の間に連結したものであることが望ましい。
そして、前記ネックレス素材１０としてのチェーン１２は、図４に示すように、そのリング本体１２−１の対向面に一対の貫通孔１２−２が設けられ、前記リング本体１２−１の該貫通孔１２−２にはイヤホンコード１３を挿通することにより、チェーン１２をイヤホンコード１３で連結したものである。
【００１９】
連結金具１５の前面にはイヤホン１７が取り付けてあり、図１に示すように、前記連結金具１５を連結した状態においてはネックレスとして使用することができ、また連結金具１５の連結を解除した状態においてはイヤホンとして使用することができるようになっている。
そして、該連結金具１５は磁石１６の磁力で連結するようにしてあるので、着脱操作を簡単に行うことができる。
特に、前記イヤホン１７を連結金具１５に一体的に取り付けることが望ましい。このようにすれば、イヤホン１７の取り扱いが容易になり、かつ連結金具１５の操作をも極めて容易なものとすることができる。
もちろん、前記イヤホン１７と連結金具１５とを、宝玉類の連１１および（または）チェーン１２からなるネックレス素材１０の端部に別々に取り付けることもできる。
【００２０】
以上のようなネックレス兼イヤホンは、首に掛けられるネックレスとして活用できることは勿論、イヤホンが備えられていて音楽を聴取できるのである。
【産業上の利用可能性】
【００２１】
以上、この考案のネックレス兼イヤホンを、前記の実施の形態により具体的に説明したが、この考案は前記の実施の形態に限定されるものではなく、その要旨を離脱しない範囲内で多様な変更ができることは言うまでもない。
【００２２】
すなわち、前記の実施の形態においては、ネックレス兼イヤホンをラジオやＭＤプレーヤに使用した実施例について説明したが、この考案は前記の実施例に限定されるものではなく、携帯用放送受信装置、携帯電話、あるいは携帯可能な音源、その他のすべての音源にも適用できることは言うまでもない。
【符号の説明】
【００２３】
１０  ネックレス素材
１１  宝玉類の連
１２  チェーン
１２−１  リング本体
１２−２  貫通孔
１３  イヤホンコード
１４  コネクタコード
１５  連結金具
１６  磁石
１７  イヤホン
２１  ネックレス兼イヤホン
【図１】
0003155288.tif 000003
【図２】
0003155288.tif 000004
【図３】
0003155288.tif 000005
【図４】
0003155288.tif 000006